(57)【要約】【課題】コンテンツの視聴の自由度を向上させた携帯端末と、当該携帯端末と電子機器とを備えたコンテンツ再生システムと、を提供する。【解決手段】携帯端末１は、電子機器と通信して、当該電子機器からコンテンツを取得する通信部１３と、通信部１３を介して取得したコンテンツを再生する再生部１１，１２と、を備える。携帯端末１は、電子機器からコンテンツを取得して、どこでも再生することが可能となる。【選択図】図１
2012009994.tif 000002
【特許請求の範囲】
【請求項１】
電子機器と通信して、当該電子機器からコンテンツを取得する通信部と、
前記通信部を介して取得したコンテンツを再生する再生部と、
を備えることを特徴とする携帯端末。
【請求項２】
ユーザに操作されることでユーザの指示が入力される操作部をさらに備え、
前記操作部を介して入力されるユーザの指示に応じた信号であり、電子機器の動作を指示する操作信号を、前記通信部が送信することを特徴とする請求項１に記載の携帯端末。
【請求項３】
前記通信部が、電子機器とＤＬＮＡに準拠した通信を行うことを特徴とする請求項１または請求項２に記載の携帯端末。
【請求項４】
少なくとも１つの電子機器と、
当該少なくとも１つの電子機器と通信し得る請求項１〜請求項３のいずれかに記載の前記携帯端末と、を備え、
前記電子機器が生成したコンテンツを、前記携帯端末が前記通信部を介して取得し、前記再生部で再生することを特徴とするコンテンツ再生システム。
【請求項５】
少なくとも１つの電子機器が、放送局が放送する番組の計画を示す番組計画情報を生成し、
前記携帯端末が、前記通信部を介して当該電子機器から当該番組計画情報を取得するとともに、当該番組計画情報を前記再生部で再生することを特徴とする請求項４に記載のコンテンツ再生システム。
【請求項６】
前記携帯端末が、ユーザに操作されることでユーザの指示が入力される操作部を備え、
前記再生部が再生する番組計画情報が示す少なくとも１つの番組を、ユーザが前記操作部を介して指定したとき、
前記携帯端末が、ユーザが指定した番組を処理する旨を示す操作信号を、前記通信部を介して少なくとも１つの電子機器に対して送信することを特徴とする請求項５に記載のコンテンツ再生システム。
【発明の詳細な説明】
【技術分野】
【０００１】
本発明は、持ち運びが可能な携帯端末や、当該携帯端末と電子機器とを備えたコンテンツ再生システムに関する。
【背景技術】
【０００２】
近年、無線通信技術の進歩に伴い、ＤＬＮＡ（Digital Living Network Alliance、登録商標）に準拠した通信を行う電子機器が普及してきている。ＤＬＮＡは、電子機器間の通信規格や、通信されるコンテンツのフォーマットなど、通信に関する仕様を定めたものであり、これに準拠した通信を行うことで、多種多様な電子機器の通信が可能となる。
【０００３】
また、ＡＶ（Audio Visual）機器などの電子機器の動作は、ユーザが操作するリモートコントローラから送信される信号によって制御される。そして、上記のような相互通信が可能な電子機器では、ユーザが一つのリモートコントローラを操作するだけで、複数の電子機器の動作を指示することが可能になる。
【０００４】
例えば、特許文献１では、接続される外部デバイス（デジタルカメラ）に応じた信号を送信するリモートコントローラと、当該信号により動作が制御されるテレビ装置と、を備えるコンテンツ再生システムが提案されている。当該コンテンツ再生システムでは、外部デバイスが接続されたリモートコントローラから送信される信号を受信したテレビ装置が、外部記憶装置または外部デバイスと通信することにより、外部デバイスに応じたコンテンツを取得し再生する。
【先行技術文献】
【特許文献】
【０００５】
【特許文献１】特開２００９−２００６３９号公報
【発明の概要】
【発明が解決しようとする課題】
【０００６】
しかしながら、特許文献１に記載のコンテンツ再生システムに限られず、従来のどのようなコンテンツ再生システムでも、ユーザがコンテンツを再生する電子機器（例えば、テレビ装置）の周囲に居ない限り、再生されるコンテンツを視聴することができない。さらに、テレビ装置のような電子機器は、大型で重いことや、コンテンツ再生システムの内部（例えば、相互通信するレコーダなど）や外部（例えば、放送局）から安定してコンテンツを取得する必要があることなどの理由により、設置場所を変えることが困難である。したがって、ユーザがコンテンツを視聴することができる場所が限定されるため、問題となる。
【０００７】
そこで、本発明は、コンテンツの視聴の自由度を向上させた携帯端末と、当該携帯端末と電子機器とを備えたコンテンツ再生システムと、を提供することを目的とする。
【課題を解決するための手段】
【０００８】
上記目的を達成するために本発明の携帯端末は、電子機器と通信して、当該電子機器からコンテンツを取得する通信部と、前記通信部を介して取得したコンテンツを再生する再生部と、を備えることを特徴とする。
【０００９】
なお、以下の実施の形態では、再生部として画像表示部及び音出力部を例に挙げて説明している。
【００１０】
また、上記構成の携帯端末において、ユーザに操作されることでユーザの指示が入力される操作部をさらに備え、前記操作部を介して入力されるユーザの指示に応じた信号であり、電子機器の動作を指示する操作信号を、前記通信部が送信すると好ましい。
【００１１】
このように構成すると、電子機器を操作するための携帯端末（リモートコントローラ）で、コンテンツを再生することが可能となる。したがって、当該電子機器から離れた場所でも、携帯端末（リモートコントローラ）でコンテンツを再生することが可能となる。
【００１２】
また、上記構成の携帯端末において、前記通信部が、電子機器とＤＬＮＡに準拠した通信を行うと好ましい。
【００１３】
このように構成すると、携帯端末が、多種多様な電子機器と通信を行うことが可能となる。
【００１４】
また、上記構成の携帯端末において、携帯端末及び電子機器の少なくとも一方で処理可能なコンテンツの選択肢を示すコンテンツを、前記通信部を介して電子機器から取得し、当該コンテンツを前記再生部が再生すると好ましい。
【００１５】
このように構成すると、ユーザに選択可能なコンテンツを提示することが可能となる。したがって、処理すべきコンテンツを、ユーザが容易に選択することが可能となる。
【００１６】
また、本発明のコンテンツ再生システムは、少なくとも１つの電子機器と、当該少なくとも１つの電子機器と通信し得る上記の前記携帯端末と、を備え、前記電子機器が生成したコンテンツを、前記携帯端末が前記通信部を介して取得し、前記再生部で再生することを特徴とする。
【００１７】
また、上記構成のコンテンツ再生システムにおいて、少なくとも１つの電子機器が、放送局が放送する番組の計画を示す番組計画情報を生成し、前記携帯端末が、前記通信部を介して当該電子機器から当該番組計画情報を取得するとともに、当該番組計画情報を前記再生部で再生すると好ましい。
【００１８】
このように構成すると、番組計画情報をユーザに提示することが可能となる。そのため、ユーザが電子機器に近づくことなく、放送予定の番組を確認することが可能となる。また、手元の携帯端末に集中して、放送予定の番組を確認することが可能となる。
【００１９】
また、上記構成のコンテンツ再生システムにおいて、前記携帯端末が、ユーザに操作されることでユーザの指示が入力される操作部を備え、前記再生部が再生する番組計画情報が示す少なくとも１つの番組を、ユーザが前記操作部を介して指定したとき、前記携帯端末が、ユーザが指定した番組を処理する旨を示す操作信号を、前記通信部を介して少なくとも１つの電子機器に対して送信すると好ましい。
【００２０】
このように構成すると、ユーザが容易に処理（例えば、再生や記録）すべき番組を確認して、当該処理を指示することが可能となる。
【発明の効果】
【００２１】
本発明の携帯端末及びコンテンツ再生システムによると、携帯端末は、電子機器からコンテンツを取得して、どこでも再生することが可能となる。そのため、コンテンツの視聴可能な場所の制限を、緩和することが可能となる。したがって、コンテンツの視聴の自由度を向上させることが可能となる。
【００２２】
本発明の意義ないし効果は、以下に示す実施の形態の説明によりさらに明らかとなろう。ただし、以下の実施の形態は、あくまでも本発明の実施の形態の一つであって、本発明ないし各構成要件の用語の意義は、以下の実施の形態に記載されたものに制限されるものではない。
【図面の簡単な説明】
【００２３】
【図１】は、本発明の実施の一形態である携帯端末の構成例を示す外観斜視図である。
【図２】は、本発明の実施の一形態であるコンテンツ再生システムの構成例を示すブロック図である。
【図３】は、本発明の実施の一形態である携帯端末の具体的な動作例を示すフローチャートである。
【図４】は、コンテンツ情報が表示された画像表示部の一例を示す図である。
【図５】は、ＥＰＧ情報が表示された画像表示部の一例を示す図である。
【図６】は、ＲＣ用画像が表示された画像表示部の一例を示す図である。
【発明を実施するための形態】
【００２４】
以下、本発明の実施の一形態である、携帯端末及びコンテンツ再生システムについて、図面を参照して説明する。
【００２５】
＜携帯端末＞
最初に、本発明の実施の一形態である携帯端末の構成例について、図１を参照して説明する。図１は、本発明の実施の一形態である携帯端末の構成例を示す外観斜視図である。図１に示すように、本例の携帯端末１は、画像を表示する画像表示部１１と、音が出力される音出力部１２と、電子機器と通信する通信部１３と、を備える。また、画像表示部１１や音出力部１２、通信部１３が配置される筐体１４を備える。
【００２６】
画像表示部１１は、例えば、液晶ディスプレイなどで構成されるモニタなどから成る。音出力部１２は、例えば、イヤホンのプラグが挿入されるジャックなどから成る。本例の携帯端末では、画像表示部１１及び音出力部１２が、コンテンツ（例えば、画像、音、文書、情報など）の再生を行う。
【００２７】
コンテンツの再生には、例えば、画像（静止画、動画など）のファイル、文書のファイル、情報のファイルなどを、画像として表示することが含まれ得る。また例えば、音（音楽、会話など）のファイル、動画のファイルに含まれる音の信号などを、音として出力すること（実際に音を発することの他、イヤホンやスピーカなどで音を発するための信号を出力することをも含み得る。以下同じ。）などが含まれ得る。
【００２８】
通信部１３は、電子機器に送信する信号を符号化及び変調した上で、送信する。また、電子機器から送信された信号を受信して、復調及び復号化する。通信部１３は、電子機器と、ＤＬＮＡに代表される共通の規格に準拠した方法で通信する。通信部１３は、電子機器と通信することさえできれば、どこでも（例えば、電子機器の周囲ではなくても）コンテンツを取得することが可能である。
【００２９】
筐体１４は、面積が大きく略平行な２つの主面と、それぞれの主面と略垂直であり面積が小さい側面と、を備える略直方体状（平板状）である。筐体１４の主面の１つに、画像表示部１１が配置されている。一方、筐体１４の側面に、音出力部１２や通信部１３が配置されている。
【００３０】
本例の携帯端末１では、ユーザが、画像表示部１１上（表示された画像上）の所望の位置に触れることで、携帯端末１に指示を入力する。即ち、画像表示部１１が、いわゆるタッチパネルの一部を構成する。
【００３１】
以上のように構成することで、携帯端末１は、電子機器からコンテンツを取得して、どこでも再生することが可能となる。そのため、コンテンツの視聴可能な場所の制限を、緩和することが可能となる。したがって、コンテンツの視聴の自由度を向上させることが可能となる。
【００３２】
また、携帯端末１は、電子機器と通信可能であれば、電子機器からコンテンツを取得することができるため、携帯端末１自身はコンテンツを生成することができる環境下（例えば、放送局から送信される信号を受信できる環境下）に存在する必要がない。また、上述のように、携帯端末１と通信する電子機器は、通常コンテンツを良好に生成することができる環境下（例えば、放送局から送信される信号を良好に受信できる環境下）に存在している。したがって、携帯端末１が電子機器からコンテンツを取得することで、効率良くコンテンツを取得することが可能となる。
【００３３】
なお、図１に示す携帯端末１の構成は一例に過ぎず、電子機器からコンテンツを取得して再生することができる構成である限り、どのような構成としても構わない。例えば、音出力部１２について、上記のジャックに加えて（または、代えて）、スピーカなどの音を発する装置を備えても構わない。また、筐体１４はどのような形状であっても構わないし、画像表示部１１や音出力部１２、通信部１３が、筐体１４のどのような面に配置されても構わない。
【００３４】
また、通信部１３を、複数の方法で信号を送信し得るものとしても構わない。例えば、上述のような共通の規格に準拠した方法による通信の他に、赤外線の信号を送信可能な構成としても構わない。具体的に例えば、通信部１３が、通信を確立した電子機器に対しては、当該電子機器と共通の規格に準拠した方法による通信を行い、通信を確立することができない電子機器に対しては、赤外線の信号を送信しても構わない。
【００３５】
＜コンテンツ再生システム＞
次に、本発明の実施の一形態であるコンテンツ再生システムの構成例について、図２を参照して説明する。図２は、本発明の実施の一形態であるコンテンツ再生システムの構成例を示すブロック図である。
【００３６】
図２に示すように、本例のコンテンツ再生システム１００は、上述の携帯端末１と、携帯端末１と通信し得る少なくとも１つの電子機器Ｅｎ（ｎは自然数）と、を備える。なお、図２では、少なくとも３つの電子機器Ｅｎが存在するかのように図示しているが、これは携帯端末１が複数の電子機器Ｅｎと通信し得ることを表現したものに過ぎない。即ち、携帯端末１が、１つまたは２つの電子機器Ｅｎと通信する構成であっても構わない。
【００３７】
図２に示すように、携帯端末装置１は、上述の画像表示部１１と、音出力部１２と、通信部１３と、筐体１４（図１参照）と、画像表示部１１に表示する画像や音出力部１２から出力する音を処理する画像音処理部１５と、取得したコンテンツなどが記録される記録部１６と、ユーザの指示が入力される操作部１７と、各部の動作を制御する制御部１８と、データを一時的に記憶するメモリ１９と、各部がデータをやり取りするバス２０と、を備える。
【００３８】
画像音処理部１５は、通信部１３を介して電子機器Ｅｎから取得したコンテンツを処理して、画像表示部１１に表示すべき画像や音出力部１２から出力すべき音の信号を生成する。例えば、ＤＬＮＡで規定されたフォーマットである各種ファイルを復号することで、各種信号を生成する。
【００３９】
記録部１６は、通信部１３を介して電子機器Ｅｎから取得したコンテンツや、携帯端末１の動作設定などを示す各種情報、制御部１８が処理を行うためのプログラムなどを記録する。記録部１６は、例えば、不揮発性の半導体メモリなどから成る。なお、記録部１６に記録したコンテンツが、画像音処理部１５で処理されるとともに、画像表示部１１や音出力部１２で再生されても構わない。
【００４０】
操作部１７は、ユーザに操作されることで、ユーザの指示が携帯端末１に入力されるものである。具体的に例えば、操作部１７が上述のタッチパネルの一部として構成される場合、操作部１７は、画像表示部１１上でユーザが触れた位置を検出するセンサ（例えば、導電膜や電流検出素子など）から成る。
【００４１】
制御部１８は、例えばＣＰＵ（Central Processing Unit）などの演算素子を備え、携帯端末１の各部の動作を制御する。メモリ１９は、例えば揮発性の半導体メモリから成り、画像音処理部１５や制御部１８の動作時に、データを一時的に記憶する。また、携帯端末１の各部は、バス２０を介してデータをやり取りする。
【００４２】
また、電子機器Ｅｎは、ＤＬＮＡに代表される共通の規格に準拠した方法で、携帯端末１の通信部１３と通信する。なお、電子機器Ｅｎは、他の電子機器と通信可能であっても構わなく、上記のような共通の規格に準拠した方法で通信しても構わない。また、電子機器Ｅｎは、上記のような共通の規格に準拠した方法による通信の他に、携帯端末１から送信され得る赤外線の信号を受信可能な構成であっても構わない。
【００４３】
＜具体的な動作例＞
次に、本発明の実施の一形態である携帯端末１の具体的な動作例について、図３を参照して説明する。図３は、本発明の実施の一形態である携帯端末の具体的な動作例を示すフローチャートである。なお、本具体例の携帯端末１は、電子機器Ｅｎ（例えば、テレビ装置）のリモートコントローラ（以下、リモコンやＲＣと表現する）として動作し得るものである。また、本具体例の携帯端末１は、複数の電子機器Ｅｎと通信可能なものである。さらに、本具体例の携帯端末１は、電子機器Ｅｎのリモコンとしてのみではなく、動画や音のファイルなどの各種コンテンツを再生し得るデジタルメディアプレーヤ（以下、ＤＭＰ）としても動作し得るものである。
【００４４】
図３に示すように、本具体例の携帯端末１が動作を開始すると、最初にユーザが、ＤＭＰとして使用するかリモコンとして使用するかを選択する（ＳＴＥＰ１）。このとき、例えば画像表示部１１に、ＤＭＰ及びリモコンを選択するための画像がそれぞれ表示され、ユーザが操作部１８を操作する（例えば、画像表示部１１の所望の画像が表示されている領域に触れる）ことで、ＤＭＰ及びリモコンの選択を行う。
【００４５】
ユーザが、携帯端末１をＤＭＰとして使用することを選択すると（ＳＴＥＰ１、ＹＥＳ）、携帯端末１がＤＭＰモードとなる（ＳＴＥＰ２）。すると、携帯端末１は、最初に通信可能な電子機器Ｅｎの探索を行う（ＳＴＥＰ３）。例えば、通信部１３が所定の信号を送信するとともに、当該信号に応答して電子機器Ｅｎが送信する信号を通信部１３が受信するか否かによって、通信可能な電子機器Ｅｎを探索する。
【００４６】
携帯端末１が、通信可能な電子機器Ｅｎを発見した場合（ＳＴＥＰ４、ＹＥＳ）、当該電子機器Ｅｎとの通信を確立する（ＳＴＥＰ５）。例えば、通信を行う帯域を定めるなど、携帯端末１及び電子機器Ｅｎが通信可能な状態にする。すると、携帯端末１は、通信が確立した電子機器Ｅｎから、コンテンツ情報を取得する（ＳＴＥＰ６）。
【００４７】
コンテンツ情報は、携帯端末１が再生可能なコンテンツを示す情報である。上記の場合、電子機器Ｅｎから携帯端末１に送信可能なコンテンツを示す情報となる。例えば、電子機器Ｅｎが現在有しているコンテンツを示す情報である。なお、電子機器Ｅｎが生成可能（例えば、放送局が送信する信号から取得可能）なコンテンツを示す情報が、コンテンツ情報に含まれても構わない。また、携帯端末１の記録部１６に記録されているコンテンツを示す情報が、コンテンツ情報に含まれても構わない。また、コンテンツ情報自体も、電子機器Ｅｎから取得可能な情報であり、コンテンツの一つとして解釈され得る。
【００４８】
携帯端末１が電子機器Ｅｎからコンテンツ情報を取得する、または、携帯端末１が通信可能な電子機器Ｅｎを発見できない場合（ＳＴＥＰ４、ＮＯ）、画像表示部１１がコンテンツ情報の表示を行う（ＳＴＥＰ７）。これにより、携帯端末１が再生可能なコンテンツが、画像表示部１１に表示される。このとき画像表示部１１に表示される画像の一例について、図４を参照して説明する。図４は、コンテンツ情報が表示された画像表示部の一例を示す図である。
【００４９】
図４に示す例は、電子機器Ｅ１〜Ｅ３からコンテンツを取得可能な場合であり、電子機器Ｅ１が動画ファイル１と音ファイル２とを有する場合のものである。この場合、図４（ａ）に示す通信可能な電子機器Ｅ１〜Ｅ３を示す画像と、図４（ｂ）に示す通信可能な電子機器Ｅ１〜Ｅ３が有するコンテンツを示す画像と、が操作部１７を介して入力されるユーザの指示に応じて順番に表示されるように、制御部１８や画像音処理部１５、画像表示部１１が動作しても構わない。具体的に例えば、図４（ａ）の電子機器Ｅ１が表示されている領域をユーザが触れることで、図４（ｂ）の画像が表示されるようにしても構わない。なお、図４に示す例は一例に過ぎず、他の方法（例えば、ツリー状）で再生可能なコンテンツや通信可能な電子機器Ｅ１〜Ｅ３を表現しても構わない。
【００５０】
ユーザは、表示されるコンテンツ情報を確認して、再生すべきコンテンツを選択する（ＳＴＥＰ８）。例えば、画像表示部１１に表示されるコンテンツ情報を確認したユーザが、再生すべきコンテンツを示す画像が表示されている領域に触れることで、再生すべきコンテンツの選択が行われる。ユーザが再生すべきコンテンツの選択を行うまで（ＳＴＥＰ８、ＮＯ）、画像表示部１１は図４に示すようなコンテンツ情報を表示する。
【００５１】
一方、ユーザがコンテンツを選択すると（ＳＴＥＰ８、ＹＥＳ）、画像表示部１１や音出力部１２でコンテンツが再生される（ＳＴＥＰ９）。なお、コンテンツの再生時に、通信部１３が、再生しているコンテンツの続きを電子機器Ｅｎから随時取得しても構わないし、再生前に取得して記録部１６やメモリ１９に記録または記憶しても構わない。
【００５２】
そして、ユーザが携帯端末１のＤＭＰとしての使用の終了を指示すると（ＳＴＥＰ１０、ＹＥＳ）、動作を終了する。一方、動作の終了が指示されない場合は（ＳＴＥＰ１０、ＮＯ）、例えばＳＴＥＰ７に戻り、画像表示部１１がコンテンツ情報の表示を行う。
【００５３】
次に、携帯端末１がリモコンとして使用される場合について、説明する。ユーザが、携帯端末１をリモコンとして使用することを選択すると（ＳＴＥＰ１、ＮＯ）、携帯端末１がＲＣモードとなる（ＳＴＥＰ１１）。すると、携帯端末１は、最初にＥＰＧ（Electronic Program Guide）情報を取得可能な電子機器Ｅｎの探索を行う（ＳＴＥＰ１２）。ＥＰＧ情報とは、放送局が放送する番組の計画（いわゆる番組表）を示す情報である。なお、ＥＰＧ情報や放送局が放送する番組は、電子機器Ｅｎから取得可能な情報であり、コンテンツの一つとして解釈され得る。
【００５４】
ＥＰＧ情報は、例えば、放送局が送信する一部の信号に含まれており、当該信号を復調及び復号することで得られる。そのため、チューナを備えた電子機器（例えば、テレビ装置や、セットトップボックス、レコーダなど）から取得することができる。携帯端末１は、例えば、上述のＳＴＥＰ３と同様に電子機器Ｅｎを探索するが、応答があった電子機器Ｅｎの中でＥＰＧ情報を取得可能なものを探索する。
【００５５】
携帯端末１が、ＥＰＧ情報を取得可能な電子機器Ｅｎを発見した場合（ＳＴＥＰ１３、ＹＥＳ）、上述のＳＴＥＰ５と同様に、当該電子機器Ｅｎとの通信を確立する（ＳＴＥＰ１４）。そして、携帯端末１は、通信を確立した電子機器Ｅｎから、ＥＰＧ情報を取得する（ＳＴＥＰ１５）。
【００５６】
また、携帯端末１は、取得したＥＰＧ情報を画像表示部１１に表示する（ＳＴＥＰ１６）。これにより、電子機器Ｅｎで処理可能な番組が、画像表示部１１に表示される。このとき画像表示部１１に表示される画像の一例について、図５を参照して説明する。図５は、ＥＰＧ情報が表示された画像表示部の一例を示す図である。
【００５７】
図５に示す例は、各チャネルｃｈ１〜ｃｈ５で放送される各番組ａ〜ｉと、各番組ａ〜ｉが放送される時間帯と、を組み合わせてＥＰＧ情報を表現したものである。なお、図５に示す例は一例に過ぎず、他の方法でＥＰＧ情報を表現しても構わない。
【００５８】
ユーザは、表示されるＥＰＧ情報を確認して、処理すべき番組（またはチャネル）を選択する（ＳＴＥＰ１７）。例えば、画像表示部１１に表示されるＥＰＧ情報を確認したユーザが、処理すべき番組を示す画像が表示されている領域に触れることで、処理すべき番組の選択が行われる。ユーザが処理すべき番組の選択を行うまで（ＳＴＥＰ１７、ＮＯ）、画像表示部１１は図５に示すようなＥＰＧ情報を表示する。
【００５９】
一方、ユーザが番組を選択すると（ＳＴＥＰ１７、ＹＥＳ）、当該番組を電子機器Ｅｎで処理すべく、携帯端末１が電子機器Ｅｎに対して操作信号を送信する（ＳＴＥＰ１８）。操作信号は、電子機器Ｅｎの動作を指示する信号である。
【００６０】
具体的に例えば、操作信号を受信したテレビ装置は、ユーザが選択した番組を再生する。また例えば、操作信号を受信したレコーダは、記録媒体（例えば、磁気ディスクや光ディスク、半導体メモリなど。以下同じ。）に番組を記録する。なお、携帯端末１は、１つの電子機器Ｅｎに操作信号を送信しても構わないし、複数の電子機器Ｅｎに操作信号を送信しても構わない。
【００６１】
そして、ユーザが携帯端末１のリモコンとしての使用の終了を指示すると（ＳＴＥＰ１９、ＹＥＳ）、動作を終了する。一方、動作の終了が指示されない場合は（ＳＴＥＰ１９、ＮＯ）、例えばＳＴＥＰ１６に戻り、画像表示部１１がＥＰＧ情報の表示を行う。
【００６２】
ところで、携帯端末１が、ＥＰＧ情報を取得可能な電子機器Ｅｎを発見できない場合（ＳＴＥＰ１３、ＮＯ）、携帯端末１はＲＣ用画像を表示する（ＳＴＥＰ２０）。ＲＣ用画像は、例えば、テレビ装置が受信処理及び再生することができるチャネルを表示した画像である。このとき画像表示部１１に表示される画像の一例について、図６を参照して説明する。図６は、ＲＣ用画像が表示された画像表示部の一例を示す図である。
【００６３】
図６に示す例は、選択可能なチャネル１〜１２を、ボタンを模した画像で表現したものである。なお、図６に示す例は一例に過ぎず、他の方法でＲＣ用画像を表現しても構わない。
【００６４】
ユーザは、表示されるＲＣ用画像を確認して、処理すべきチャネルを選択する（ＳＴＥＰ２１）。例えば、画像表示部１１に表示されるＲＣ用画像を確認したユーザが、処理すべきチャネルを示す画像が表示されている領域に触れることで、処理すべきチャネルの選択が行われる。ユーザが処理すべきチャネルの選択を行うまで（ＳＴＥＰ２１、ＮＯ）、画像表示部１１は図６に示すようなＲＣ用画像を表示する。
【００６５】
一方、ユーザが処理すべきチャネルを選択すると（ＳＴＥＰ２１、ＹＥＳ）、上述のＳＴＥＰ１８と同様に、携帯端末１が電子機器Ｅｎに対して操作信号を送信する（ＳＴＥＰ２２）。
【００６６】
そして、ユーザが携帯端末１のリモコンとしての使用の終了を指示すると（ＳＴＥＰ２３、ＹＥＳ）、動作を終了する。一方、動作の終了が指示されない場合は（ＳＴＥＰ２３、ＮＯ）、例えばＳＴＥＰ２０に戻り、画像表示部１１がＲＣ用画像の表示を行う。
【００６７】
このように構成すると、電子機器Ｅｎを操作するための携帯端末１（リモコン）で、コンテンツを再生することが可能となる。したがって、当該電子機器Ｅｎから離れた場所でも、携帯端末１（リモコン）でコンテンツを再生することが可能となる。
【００６８】
また、携帯端末１が、コンテンツ情報やＥＰＧ情報などの、携帯端末１及び電子機器Ｅｎの少なくとも一方で処理（例えば、再生や記録）可能なコンテンツの選択肢を示す情報（コンテンツ）を、電子機器Ｅｎから取得し再生する。そのため、ユーザに選択可能なコンテンツを提示することが可能となる。したがって、処理すべきコンテンツを、ユーザが容易に選択することが可能となる。
【００６９】
また、携帯端末１が、ＥＰＧ情報をユーザに提示することが可能となる。そのため、ユーザが電子機器（例えば、テレビ装置）Ｅｎに近づくことなく、放送予定の番組を確認することが可能となる。また、手元の携帯端末１に集中して、放送予定の番組を確認することが可能となる。さらに、ユーザが容易に処理（例えば、再生や記録）すべき番組を確認して、当該処理を指示することが可能となる。
【００７０】
また、ＥＰＧ情報を取得することができなかったとしても、携帯端末１はＲＣ用画像を表示することができる。そのため、ユーザは、電子機器（例えば、テレビ装置）Ｅｎで処理（例えば、再生や記録）するチャネルを選択することが可能となる。
【００７１】
なお、ＳＴＥＰ９において、携帯端末１がコンテンツを再生する場合について説明したが、電子機器Ｅｎにコンテンツを再生させても構わない。この場合、携帯端末１が、ＳＴＥＰ１８と同様の操作信号を、電子機器Ｅｎに出力しても構わない。また、ＳＴＥＰ１８において、電子機器Ｅｎが番組を処理する場合について説明したが、携帯端末１が電子機器Ｅｎから番組を取得して、当該番組を処理（例えば、再生や記録）しても構わない。
【００７２】
＜変形例＞
本発明の実施の一形態である携帯端末は、上述のリモコンに限られず、ＰＤＡ（Personal Digital Assistant）や携帯電話などの、持ち運びが容易な各種電子機器を適用することができる。また、本発明の実施の一形態であるコンテンツ再生システムに含まれる、携帯端末と通信し得る電子機器は、上述のテレビ装置やレコーダに限られず、取得した信号をテレビ装置などで視聴可能な信号に変換するセットトップボックスや、記録媒体に記録したコンテンツを読み出して再生するプレーヤ、主として音の信号を記録媒体に記録したり記録媒体から読み出して再生したりするオーディオ機器、コンテンツの種々の処理が可能なパソコンなど、各種電子機器を適用することができる。
【００７３】
また、本発明の実施の一形態である携帯端末１について、一部または全部の動作を、マイクロプロセッサなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００７４】
また、上述した場合に限らず、図２に示す携帯端末１は、ハードウェア、或いは、ハードウェアとソフトウェアの組み合わせによって実現可能である。また、ソフトウェアを用いて駆動光源設定部の一部を構成する場合、ソフトウェアによって実現される部位についてのブロックは、その部位の機能ブロックを表すこととする。
【００７５】
以上、本発明における実施形態について説明したが、本発明の範囲はこれに限定されるものではなく、発明の主旨を逸脱しない範囲で種々の変更を加えて実行することができる。
【産業上の利用可能性】
【００７６】
本発明は、持ち運びが可能な携帯端末や、当該携帯端末と電子機器とを備えたコンテンツ再生システムに利用することができる。
【符号の説明】
【００７７】
１    携帯端末
１１  画像表示部
１２  音出力部
１３  通信部
１４  筐体
１５  画像音処理部
１６  記録部
１７  操作部
１８  制御部
１９  メモリ
２０  バス
１００  コンテンツ再生システム
Ｅｎ  電子機器
【図１】
2012009994.tif 000003
【図２】
2012009994.tif 000004
【図３】
2012009994.tif 000005
【図４】
2012009994.tif 000006
【図５】
2012009994.tif 000007
【図６】
2012009994.tif 000008